(57)【要約】【課題】回路基板を取り外す際の作業性を向上することができる固定構造、及び、これを利用した、表示装置及び液晶ディスプレイ装置を提供する。【解決手段】第１端部１０Ａ及び第２端部１０Ｂの各々を弾性復元力により固定する、少なくとも１対の固定部２０、２００Ａを有する第１取付部２００と、第１取付部２００が取り付けられ、且つ、１対の固定部２０、２００Ａのうち特定固定部２０の、回路基板１側とは逆側に位置することにより、特定固定部２０の、弾性復元力に逆らった動きを規制する、板状の規制部３０を有する第２取付部３００と、を備え、規制部３０は、特定固定部２０の弾性復元力が働く方向と交差する方向の弾性復元力を有し、当該弾性復元力に逆らって曲がる性質を有し、規制部３０がその弾性復元力に逆らって曲げられた際に、特定固定部２０がその弾性復元力に逆らって移動するための移動路が確保される。【選択図】図３Ａ
2014228659.tif 000002
【特許請求の範囲】
【請求項１】
第１端部と第２端部とを有する回路基板と、
前記回路基板が取り付けられ、且つ、前記第１端部及び前記第２端部の各々を弾性復元力により固定する、少なくとも１対の固定部を有する第１取付部と、
前記第１取付部が取り付けられ、且つ、前記１対の固定部のうち前記第１端部側の固定部である特定固定部の、前記回路基板側とは逆側に位置することにより、前記特定固定部の、前記弾性復元力に逆らった動きを規制する、板状の規制部を有する第２取付部と、を備え、
前記規制部は、前記特定固定部の弾性復元力が働く方向と交差する方向の弾性復元力を有し、当該弾性復元力に逆らって曲がる性質を有し、
前記規制部が、当該規制部の弾性復元力に逆らって曲げられた際に、前記特定固定部がその弾性復元力に逆らって移動するための移動路が確保される
固定構造。
【請求項２】
前記第１取付部は、前記特定固定部が取り付けられる第１底面を有しており、
前記特定固定部は、前記回路基板の前記第１端部の方向に沿って前記第１底面に設けられ、当該第１底面との間で予め定められた角度をなす脚部と、当該脚部と連結され、前記第１端部と接して当該第１端部を固定する頂部とを有し、
前記第２取付部は、前記規制部が取り付けられる第２底面を有しており、
前記規制部は、前記特定固定部のうち少なくとも前記頂部と対向するように、前記第２底面に、当該第２底面に対して交差する方向に取り付けられている
請求項１に記載の固定構造。
【請求項３】
前記特定固定部の前記頂部は、第１端部と、前記第１端部よりも前記特定固定部の付け根からの距離が大きな第２端部と、を有しており、
前記規制部は、前記特定固定部の前記第２端部と対向している
請求項２に記載の固定構造。
【請求項４】
前記特定固定部は、前記回路基板の前記第１端部の方向に沿って設けられ、且つ、アーチ状に形成されることにより、前記特定固定部には開口が形成されており、
前記開口の上部には凹部が形成されており、
前記規制部は、前記特定固定部の前記弾性復元力の方向と平行な主面と、当該主面と交差し且つ前記特定固定部と対向する側面である対向面と、を有し、
前記凹部の幅は、前記対向面の幅よりも大きい
請求項１に記載の固定構造。
【請求項５】
前記規制部は、前記凹部に近接して設けられている
請求項４に記載の固定構造。
【請求項６】
前記規制部は、板状のリブで構成されている
請求項１〜５のいずれか１項に記載の固定構造。
【請求項７】
請求項１〜６いずれか１項に記載の固定構造と、
画像を表示する表示パネルと、
前記表示パネルに関する操作を行うための操作キーを有した前記回路基板と、
を備える
表示装置。
【請求項８】
前記表示パネルは液晶パネルである
請求項７に記載の表示装置。
【発明の詳細な説明】
【技術分野】
【０００１】
本発明は、固定構造、及びこの固定構造を用いた表示装置に関する。
【背景技術】
【０００２】
従来、電子部品が実装された回路基板を、筐体内に取り付ける技術が存在する（例えば、特許文献１参照）。
【０００３】
図８Ａは従来の固定構造の分解斜視図を表し、図８Ｂは従来の固定構造の斜視図である。
【０００４】
液晶ディスプレイ装置等の表示装置のリアフレーム１７の下部にはボトムカバー（第２取付部）３００が取り付けられている（図１参照）。
【０００５】
ボトムカバー３００は、取り外し可能であり、ボトムカバー３００を外せば、図８Ａ及び図８Ｂに示す固定構造１００が露出する。
【０００６】
従来の固定構造１００では、基板取付部（第１取付部）２００には、回路基板１の第１端部１０Ａ、及び、第２端部１０Ｂをそれぞれ固定する、１対のフック（１対の固定部）２００Ａ及び２００Ｂが設けられている。
【０００７】
フック２００Ａには、回路基板１の第２端部１０Ｂの上に位置して、回路基板１の上下方向の移動を規制する凸部２０１Ａが設けられている。フック２００Ａは、回路基板１方向の弾性復元力を有している。
【０００８】
また、フック２００Ｂには、回路基板１の第１端部１０Ａの上に位置して、回路基板１の上下方向の移動を規制する凸部２０１Ｂが設けられている。フック２００Ｂは、回路基板１方向の弾性復元力を有している。
【０００９】
また、基板取付部２００には、回路基板１が第１端部１０Ａ及び第２端部１０Ｂと平行な方向へ移動するのを規制する突起２００Ｃが設けられている。この突起２００Ｃは、回路基板１に形成された開口１０Ｃに挿入される。
【００１０】
さらに、基板取付部２００には、回路基板１が突起２００Ｃを中心として回転することを規制する回転規制部２００Ｅが設けられている。
【００１１】
このような構成の基板取付部２００に回路基板１を取り付けるには、フック２００Ｂを、その弾性復元力に逆らって開き、回路基板１が入るスペースを確保する。ついで、回路基板１を、その開口１０Ｃに突起２００Ｃを貫通させて前記スペースに収め、フック２００Ｂを離す。
【００１２】
すると、回路基板１は、フック２００Ａ及び２００Ｂによって上下方向の動きが規制される。また、回路基板１は、突起２００Ｃによって、端部１０Ａ及び１０Ｂと平行な方向の動きが規制される。さらに、回路基板１は、回転規制部２００Ｅにより、突起２００Ｃを中心とした回転が規制される。これにより、回路基板１が基板取付部２００に固定される。
【００１３】
一方、ボトムカバー３００には、フック２００Ｂの背面と接してフック２００Ｂの弾性復元力に逆らった動きを規制する第１リブ３０１が設けられている。また、ボトムカバー３００には、基板取付部２００の側面２００Ｄに引っかかることにより、基板取付部２００をボトムカバー３００に固定する、フック状の第２リブ３０２を備える。さらに、ボトムカバー３００には、基板取付部２００の第１端部１０Ａ及び第２端部１０Ｂと平行な方向の移動、及び、基板取付部２００の前記第１端部１０Ａ及び第２端部１０Ｂと垂直な方向の移動を規制するための第３リブ群３０３が設けられている。これにより、基板取付部２００がボトムカバー３００に固定される。
【００１４】
図９は、従来の固定構造の側面図である。図９に示すように、回路基板１は、フック２００Ａの凸部２０１Ａと、フック２００Ｂの凸部２０１Ｂとによって、上下方向の動きが規制されている。また、基板取付部２００は、先述の、第１リブ３０１、第２リブ３０２、及び第３リブ群３０３によって、ボトムカバー３００に固定されている。
【００１５】
ボトムカバー３００には、操作キー４が挿入される開口３００Ａが形成されている。開口３００Ａからは、操作キー４の頭部４Ａが露出している。
【先行技術文献】
【特許文献】
【００１６】
【特許文献１】実開昭４９−６９０５４号公報
【発明の概要】
【発明が解決しようとする課題】
【００１７】
ところで、上記した従来の固定構造では、第１リブ３０１がフック２００Ｂと接してその弾性復元力に逆らった動きを規制しているため、作業者が、フック２００Ｂを開くことが困難である。そのため、回路基板１のリワーク等のために、作業者が、基板取付部２００をボトムカバー３００に固定したまま、回路基板１を基板取付部２００から取り外すことが困難である。
【００１８】
したがって、作業者は、ボトムカバー３００から、回路基板１が取り付けられた基板取付部２００を外し、それから、フック２００Ｂを開いて回路基板１を取り外す必要がある。そのため、回路基板１のリワーク等において回路基板１を取り外す際の作業性が良くない。
【００１９】
本発明は、上述の課題を解決するためになされたものであり、回路基板を取り外す際の作業性を向上することができる固定構造、及び、これを利用した、表示装置及び液晶ディスプレイ装置を提供することを目的とする。
【課題を解決するための手段】
【００２０】
上記目的を達成するために、本発明の一態様に係る固定構造は、第１端部と第２端部とを有する回路基板と、前記回路基板が取り付けられ、且つ、前記第１端部及び前記第２端部の各々を弾性復元力により固定する、少なくとも１対の固定部を有する第１取付部と、  前記第１取付部が取り付けられ、且つ、前記１対の固定部のうち前記第１端部側の固定部である特定固定部の、前記回路基板側とは逆側に位置することにより、前記特定固定部の、前記弾性復元力に逆らった動きを規制する、板状の規制部を有する第２取付部と、を備え、  前記規制部は、前記特定固定部の弾性復元力が働く方向と交差する方向の弾性復元力を有し、当該弾性復元力に逆らって曲がる性質を有し、前記規制部が、当該規制部の弾性復元力に逆らって曲げられた際に、前記特定固定部がその弾性復元力に逆らって移動するための移動路が確保される。
【００２１】
この構成によると、規制部が、その弾性復元力に逆らって曲げられた際に、特定固定部の弾性復元力に逆らった移動路が確保されるので、作業者は、特定固定部をその弾性復元力に逆らって開くことにより、基板取付部を取り外す必要なく、回路基板のみを取り外すことができる。よって、回路基板を取り外す際の作業性を向上することができる。
【００２２】
また、前記第１取付部は、前記特定固定部が取り付けられる第１底面を有しており、前記特定固定部は、前記回路基板の前記第１端部の方向に沿って前記第１底面に設けられ、当該第１底面との間で予め定められた角度をなす脚部と、当該脚部と連結され、前記第１端部と接して当該第１端部を固定する頂部とを有し、前記第２取付部は、前記規制部が取り付けられる第２底面を有しており、前記規制部は、前記特定固定部のうち少なくとも前記頂部と対向するように、前記第２底面に、当該第２底面に対して交差する方向に取り付けられていてもよい。
【００２３】
この構成によると、回路基板の第１端部側の特定固定部は、回路基板の第１端部に沿って第１取付部の底面に設けられ、当該底面との間で所定角度をなす脚部を有する。この脚部には、回路基板の第１端部を固定する頂部が連結されている。
【００２４】
特定固定部のうち少なくとも頂部には、特定固定部の弾性復元力に逆らった動きを規制する規制部が位置している。この規制部は、特定固定部の弾性復元力が働く方向と交差する方向の弾性復元力を有している。
【００２５】
そのため、作業者が、規制部を、その弾性復元力に逆らうようにして曲げることにより、規制部と頂部との間の接触が解除される。その結果、特定固定部の、弾性復元力に逆らった動きの規制が解除されるので、作業者は、特定固定部をその弾性復元力に逆らって開くことにより、回路基板を取り外すことができる。
【００２６】
したがって、回路基板を取り外す際の作業性を向上することができる。
【００２７】
また、前記特定固定部の前記頂部は、第１端部と、前記第１端部よりも前記特定固定部の付け根からの距離が大きな第２端部と、を有しており、前記規制部は、前記特定固定部の前記第２端部と対向していてもよい。
【００２８】
この構成によると、規制部は、特定固定部の２つの端部のうち、特定固定部の付け根からの距離が大きな第２端部と対向している。
【００２９】
そのため、規制部は、付け根から頂部に向けて所定の角度で延びる脚部と対向せずに、頂部とのみ対向するため、回路基板を取り外す際の規制部の移動量が少なくて済む。その結果、作業性をより向上させることができる。
【００３０】
また、前記特定固定部は、前記回路基板の前記第１端部の方向に沿って設けられ、且つ、アーチ状に形成されることにより、前記特定固定部には開口が形成されており、前記開口の上部には凹部が形成されており、前記規制部は、前記特定固定部の前記弾性復元力の方向と平行な主面と、当該主面と交差し且つ前記特定固定部と対向する側面である対向面と、を有し、前記凹部の幅は、前記対向面の幅よりも大きくてもよい。
【００３１】
この構成によると、特定固定部はアーチ状に形成されているので、第１取付部における特定固定部の安定感が増す。
【００３２】
そして、このアーチの開口の上部には、規制部が特定固定部と対向する面である対向面の幅よりも大きな幅の凹部が形成されている。
【００３３】
そのため、作業者が、規制部を、その弾性復元力に逆らうようにして曲げると、対向面が凹部を通過することができるようになる。
【００３４】
その結果、特定固定部の、弾性復元力に逆らった動きの規制が凹部によって解除されるので、作業者は、特定固定部を弾性復元力に逆らって開くことにより、回路基板を取り外すことができる。したがって、回路基板を取り外す際の作業性を向上することができる。
【００３５】
また、前記規制部は、前記凹部に近接して設けられていてもよい。
【００３６】
この構成によると、規制部が、アーチの凹部に近接して設けられているので、規制部を、その弾性復元力に逆らうようにして曲げる曲げ量を小さくすることができる。その結果、作業性をより向上させることができる。
【００３７】
また、前記規制部は、板状のリブで構成されていてもよい。
【００３８】
この構成によると、規制部は、板状のリブで構成されているので、安価で曲げやすい規制部を製造することができる。また、板状のリブは樹脂バネの特性を持っているので、リブを曲げた後、指を離すとリブが元の位置に戻るため、再度、特定固定部の動きを規制することができる。
【００３９】
また、本発明の他の態様に係る表示装置は、請求項１〜６いずれか１項に記載の固定構造と、画像を表示する表示パネルと、前記表示パネルに関する操作を行うための操作キーを有した前記回路基板と、を備える。
【００４０】
この構成によると、先述の固定構造を備えるので、先述の効果を奏する表示装置を提供することができる。
【００４１】
例えば、前記表示パネルは液晶パネルであってもよい。
【００４２】
この構成によると、表示パネルが液晶パネルであるので、先述の効果を奏する液晶ディスプレイ装置を提供することができる。
【発明の効果】
【００４３】
本発明によると、回路基板を取り外す際の作業性を向上することができる。
【図面の簡単な説明】
【００４４】
【図１】本発明の実施の形態１に係る液晶ディスプレイ装置の背面の一例を示した背面図である。
【図２】液晶ディスプレイ装置を分解した状態を示す分解斜視図である。
【図３Ａ】本発明の実施の形態１に係る固定構造の一例を示し、リブが曲がっていない状態を表す斜視図である。
【図３Ｂ】図３Ａにおいてリブが曲がっている状態を表す斜視図である。
【図４Ａ】本発明の実施の形態２に係る固定構造の一例を示し、リブが曲がっていない状態を表す側面図である。
【図４Ｂ】図４Ａにおいてリブが曲がっている状態を表す側面図である。
【図５】本発明の実施の形態３に係る固定構造の一例を示し、リブが曲がっていない状態を表す斜視図である。
【図６Ａ】本発明の実施の形態３に係る固定構造の一例を示し、リブが曲がっていない状態を表す側面図である。
【図６Ｂ】図６Ａにおいてリブが曲がっている状態を表す側面図である。
【図７Ａ】本発明の実施の形態４に係る固定構造の一例を示し、リブが曲がっていない状態を表す側面図である。
【図７Ｂ】図７Ａにおいてリブが曲がっている状態を表す側面図である。
【図８Ａ】従来の固定構造の分解斜視図である。
【図８Ｂ】従来の固定構造の斜視図である。
【図９】従来の固定構造の側面図である。
【発明を実施するための形態】
【００４５】
以下、本発明の実施の形態について、図面を用いて詳細に説明する。なお、本実施の形態では、本発明の実施の形態に係る表示装置として液晶ディスプレイ装置を例示しているが、この例には限られず、回路基板１の取り外し作業を効率よく行うことが求められる装置であれば、何を用いてもよい。
【００４６】
また、以下で説明する実施の形態は、いずれも包括的または具体的な例を示すものである。以下の実施の形態で示される構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００４７】
（実施の形態１）
＜液晶ディスプレイの構成＞
図１は、本発明の実施の形態１に係る液晶ディスプレイ装置の背面の一例を示した背面図である。図２は、液晶ディスプレイ装置を分解した状態を示す分解斜視図である。
【００４８】
図１に示すように、液晶ディスプレイ装置Ａのリアフレーム１７には、ボトムカバー３００が設けられている。ボトムカバー３００では、複数の操作キー４の頭部４Ａが露出している。各操作キー４は、各々定められた機能が割り当てられており、例えば、画像のコントラストの調整、画像の色彩の調整、画像の表示位置の調整などの機能が割り当てられている。
【００４９】
図２に示すように、液晶ディスプレイ装置Ａは、液晶ディスプレイ装置Ａの前方側に配置される枠状のフロントキャビネット１１と、液晶パネル１３の外枠を保護し当該外枠に沿って設けられる複数のベゼル１２と、画像を表示する液晶パネル（表示パネル）１３と、液晶パネル１３をその背面側から支持するモールドフレーム１４と、拡散板や導光板等、複数の部材からなる光学板１５と、図示しないＬＥＤからの光を光学板１５方向へ反射させる反射シート１６と、液晶ディスプレイ装置Ａの後部筐体となるリアフレーム１７と、を備える。
【００５０】
＜固定構造の構成＞
図３Ａは、本発明の実施の形態１に係る固定構造の一例を示し、リブ（規制部）３０が曲がっていない状態を表す斜視図である。図３Ｂは、図３Ａにおいてリブ３０が曲がっている状態を表す斜視図である。
【００５１】
なお、図３Ａ及び図３Ｂにおける固定構造Ｂは、図８Ａ及び図８Ｂにおける固定構造１００とは、第１取付部２００にフック２０を取り付けるための底面（第１底面）２２を設けた点、フック２００Ｂに代えてフック（特定固定部）２０を設けた点、及び、第１リブ３０１に代えてリブ３０を設けた点で異なる。その他の構成は、両者で同一である。
【００５２】
まず、固定構造Ｂの構成について、図３Ａを用いて説明する。固定構造Ｂでは、操作キーの裏面が露出している。
【００５３】
フック２０は、第１取付部２００の底面２２を付け根として、回路基板１の第１端部１０Ａの方向に沿うように設けられている。フック２０は、底面２２との間で定められた角度θ（但しθは正の数）をつけて延びる脚部２０Ｂを有する。脚部２０Ｂには、頂部２０Ａが連結されている。
【００５４】
フック２０の頂部２０Ａは、脚部２０Ｂの付け根に近い左端部（第１端部）２０Ａ（１）と、端部２０Ａ（１）よりも、付け根からの距離が大きな右端部（第２端部）２０Ａ（２）とを有する。
【００５５】
フック２０の脚部２０Ｂのうち、底面２２側とは逆の側の端部には屈曲部２０Ｃが形成されており、屈曲部２０Ｃからは、頂部２０Ａが、頂部２０Ａの長手方向が回路基板１の第１端部１０Ａと平行になるように設けられている。
【００５６】
フック２０は、回路基板１の第１端部１０Ａに向かう弾性復元力を有しており、フック２００Ａと協働して、回路基板１を固定している。
【００５７】
リブ３０は、ボトムカバー３００の底面（第２底面）３０４に対して垂直に取り付けられている。リブ３０は、フック２０の頂部２０Ａと対向する一方で脚部２０Ｂと対向しないように、頂部２０Ａの右端部２０Ａ（２）と対向するように設けられている。
【００５８】
リブ３０は、フック２０の弾性復元力の方向とは垂直方向で、且つ、フック２０側に戻ろうとする弾性復元力を有している。
【００５９】
＜固定構造の効果＞
固定構造Ｂは、先述の構成をしているので、リブ３０を、図３Ｂに示すように、リブ３０がフック２０の頂部２０Ａと対向しなくなるまで曲げれば、フック２０の移動路が形成される。この状態で、フック２０に回路基板１とは反対方向に力を加えてフック２０を開けば、フック２０とフック２００Ａとの間の距離が広がるから、回路基板１を取り外すことができる。
【００６０】
これにより、従来のように、基板取付部２００をボトムカバー３００から外してから回路基板１を取り外す必要がなく、基板取付部２００をボトムカバー３００に取り付けたまま回路基板１を取り外すことができる。その結果、回路基板１を取り外す際の作業性を向上することができる。
【００６１】
また、リブ３０は頂部２０Ａの右端部２０Ａ（２）と対向するように設けられているのでリブ３０はフック２０の頂部２０Ａとのみ接する。そのため、フック２０の弾性復元力に逆らう移動路を確保するのに、リブ３０の曲げ量が少なくて済むから、回路基板１を取り外す際の作業性をより向上することができる。
【００６２】
（実施の形態２）
図４Ａは、本発明の実施の形態２に係る固定構造の一例を示し、リブ３０が曲がっていない状態を表す側面図である。図４Ｂは、図４Ａにおいてリブ３０が曲がっている状態を表す側面図である。
【００６３】
この固定構造Ｂ１は、先述の固定構造Ｂとは、リブ３０が、頂部２０Ａだけではなく脚部２０Ｂにも対向するように、水平方向にずれて配置されている点で異なる。その他の構成は両者で同一である。
【００６４】
このような構成の固定構造Ｂ１においても、作業者は、リブ３０をその弾性復元力に逆らって、リブ３０がフック２０の頂部２０Ａ及び脚部２０Ｂと対向しなくなるまで曲げることによって、フック２０がその弾性復元力に逆らって動く移動路を確保することができる。
【００６５】
その結果、先述と同様に、基板取付部２００をボトムカバー３００に取り付けたまま、回路基板１を取り外すことができるので、回路基板１を取り外す際の作業性を向上させることができる。
【００６６】
（実施の形態３）
図５は、本発明の実施の形態３に係る固定構造の一例を示し、リブ３０が曲がっていない状態を表す斜視図である。図６Ａは、本発明の実施の形態３に係る固定構造の一例を示し、リブ３０が曲がっていない状態を表す側面図である。図６Ｂは、図６Ａにおいてリブ３０が曲がっている状態を表す側面図である。
【００６７】
この固定構造Ｂ２では、先述の固定構造Ｂとは、フック２０に代えて、アーチ状のフック（特定固定部）２３を設けた点で異なる。その他の構成は両者で同一である。
【００６８】
フック２３は、回路基板１の第１端部１０Ａの方向に沿って設けられている。このフック２３は、先述のようなアーチ状であるので、フック２３には開口２４が存在している。開口２４の上部には凹部２５が形成されている。
【００６９】
一方、リブ３０は、フック２３の弾性復元力の方向と平行な主面３０Ｂと、当該主面３０Ｂと垂直で且つフック２３と対向する側面である対向面３０Ａと、を有する。対向面３０Ａの幅は、凹部２５の幅よりも小さい。また、リブ３０は、凹部２５に近接して設けられている。
【００７０】
固定構造Ｂ２は先述の構成をしているため、図６Ｂに示すように、リブ３０を曲げれば、リブ３０が凹部２５内に収まる。その結果、リブ３０によるフック２３の規制が外れるため、フック２３はその弾性復元力に逆らって動く。
【００７１】
その結果、先述と同様に、基板取付部２００をボトムカバー３００に取り付けたまま、回路基板１を取り外すことができるので、回路基板１を取り外す際の作業性を向上させることができる。
【００７２】
また、先述のように、リブ３０は凹部２５に近接しているので、リブ３０の曲げ量を小さくすることができる。よって、作業性がより向上する。
【００７３】
（実施の形態４）
図７Ａは、本発明の実施の形態４に係る固定構造の一例を示し、リブ３０が曲がっていない状態を表す側面図である。図７Ｂは、図７Ａにおいてリブ３０が曲がっている状態を表す側面図である。
【００７４】
この固定構造Ｂ３は、先述の固定構造Ｂ２よりも、リブ３０と凹部２５との距離が離れている。その他の構成は、固定構造Ｂ２と同様である。この固定構造Ｂ３によっても、リブ３０を、図７Ｂに示すように、当該リブ３０が凹部２５内に収まるまで曲げればよいので、先述と同様に、基板取付部２００をボトムカバー３００に取り付けたまま、回路基板１を取り外すことができ、作業性が向上する。
【００７５】
以上、本発明に係る固定構造及び液晶ディスプレイ装置について、実施の形態に基づいて説明したが、本発明は、このような実施の形態に限定されない。本発明の主旨を逸脱しない範囲で、実施の形態に対して当業者が思いつく各種変形を施して得られる形態、及び、実施の形態の構成要素を任意に組み合わせて得られる別の形態も、本発明に含まれる。
【産業上の利用可能性】
【００７６】
本発明は、例えば、表示装置など、回路基板を取り外す際の作業性が求められる装置に適用できる。
【符号の説明】
【００７７】
Ａ  液晶ディスプレイ装置
Ｂ、Ｂ１、Ｂ２、Ｂ３  固定構造
１  回路基板
１０Ａ  回路基板の第１端部
１０Ｂ  回路基板の第２端部
１３  液晶パネル
２０、２３  特定固定部
２０Ａ  フックの頂部
２０Ａ（１）  頂部の左端部
２０Ｂ（２）  頂部の右端部
２０Ｂ  フックの脚部
２２  第１取付部の底面
２４  開口
２５  凹部
３０  規制部
３０Ａ  対向面
３０Ｂ  主面
２００  第１取付部
２００Ａ  フック
３００  ボトムカバー
３０４  ボトムカバーの底面
θ  角度
【図１】
2014228659.tif 000003
【図２】
2014228659.tif 000004
【図３Ａ】
2014228659.tif 000005
【図３Ｂ】
2014228659.tif 000006
【図４Ａ】
2014228659.tif 000007
【図４Ｂ】
2014228659.tif 000008
【図５】
2014228659.tif 000009
【図６Ａ】
2014228659.tif 000010
【図６Ｂ】
2014228659.tif 000011
【図７Ａ】
2014228659.tif 000012
【図７Ｂ】
2014228659.tif 000013
【図８Ａ】
2014228659.tif 000014
【図８Ｂ】
2014228659.tif 000015
【図９】
2014228659.tif 000016